(57)【要約】【課題】取付作業性がよく新設サッシの開口もできるだけ大きくとることのできる改装サッシを提供する。【解決手段】建物開口部に設けられた既設枠体１の内周側に新設枠体２を取付けてなり、既設枠体１の内周面に設けられ室外端部には室外側に向かう当接面６ａを有したピース状のブラケット６と、ブラケット６の当接面６ａに室外側から当接固定されるフィン部２３を外周面の四周に渡って有した新設枠体２と、新設枠体２のフィン部２３に室外側から当接固定される固定部４３を有し新設枠体２の外周面を覆うように取付けられる外周枠体７とを備えてなる。【選択図】図１
2006283418.tif 000002
【特許請求の範囲】
【請求項１】
建物開口部に設けられた既設枠体の内周側に新設枠体を取付けてなる改装用サッシにおいて、
上記既設枠体の内周面に設けられ室外端部には室外側に向かう当接面を有したピース状のブラケットと、該ブラケットの当接面に室外側から当接固定されるフィン部を外周面の四周に渡って有した新設枠体と、該新設枠体のフィン部に室外側から当接固定される固定部を有し上記新設枠体の外周面を覆うように取付けられる外周枠体とを備えてなることを特徴とする改装用サッシ。
【請求項２】
上記ブラケットは断面略単板状に形成されると共に、上記既設枠体の内周面に対してネジまたはビス止めされてなることを特徴とする改装用サッシ。
【請求項３】
上記ブラケットは上記既設枠体より室内側まで延設された延出部を有し、該延出部は建物躯体に対して固定されてなることを特徴とする請求項１または２記載の改装用サッシ。
【請求項４】
上記外周枠体は上記既設枠体の室外端部と近接対向する保持部を有し、該保持部には水密材が設けられて上記既設枠体の室外端部との間を水密することを特徴とする請求項１〜３のいずれか１項に記載の改装用サッシ。
【請求項５】
上記外周枠体は室外端部で上記新設枠体の室外端部と近接対向して水密材により水密されると共に、上記固定部は上記新設枠体のフィン部と水密材を介して当接固定されていることを特徴とする請求項４記載の改装用サッシ。
【請求項６】
上記ブラケットの当接面と上記新設枠体のフィン部の間または上記新設枠体のフィン部と上記外周枠体の固定部の間には断熱部材が介装されてなることを特徴とする請求項１〜５のいずれか１項に記載の改装用サッシ。
【発明の詳細な説明】
【技術分野】
【０００１】
本発明は、建物開口部に取付けられた既設サッシを取り外すことなく当該既設サッシを覆うように設けられる改装用サッシに関し、特に既設サッシの内周面にブラケットを設けて新設枠体を固定する改装用サッシに関する。
【背景技術】
【０００２】
従来から、建物のリフォームや部屋の用途変更などに伴いサッシを取替える改装が行われている。このようにサッシの改装をなすための構造としては、既設サッシを取り外した上で新設サッシを取付けるもの（例えば特許文献１、２）や、既設サッシを取り外すことなくこれを覆うように新設サッシを取付けるもの（例えば特許文献３、４）がある。
【特許文献１】特開平１１−１３１０６６号公報
【特許文献２】特開平１１−１３１９１７号公報
【特許文献３】特開２００２−２８５７５８号公報
【特許文献４】特開２００４−１００１７０号公報
【発明の開示】
【発明が解決しようとする課題】
【０００３】
このうち、既設サッシを取り外すことなくこれを覆うように新設サッシを取付ける改装サッシは、設置時には改装することが想定されていないサッシに対しても新設サッシを取付けることができる。このために、既設サッシの枠体の内周面に取付枠を設け、この取付枠に新設サッシを固定するようにしている。しかし、既存サッシの枠体に対し、さらに取付枠を設けるのは作業性が悪く、また新設サッシのための開口を小さくする問題点があった。
【０００４】
本発明は、上記課題を解決すべくなされたものであり、取付作業性がよく新設サッシの開口もできるだけ大きくとることのできる改装サッシを提供することを目的とする。
【課題を解決するための手段】
【０００５】
上記課題を解決するため、本発明に係る改装サッシは、建物開口部に設けられた既設枠体の内周側に新設枠体を取付けてなる改装用サッシにおいて、
上記既設枠体の内周面に設けられ室外端部には室外側に向かう当接面を有したピース状のブラケットと、該ブラケットの当接面に室外側から当接固定されるフィン部を外周面の四周に渡って有した新設枠体と、該新設枠体のフィン部に室外側から当接固定される固定部を有し上記新設枠体の外周面を覆うように取付けられる外周枠体とを備えてなることを特徴として構成されている。
【０００６】
また、本発明に係る改装サッシは、上記ブラケットは断面略コ字状に形成されると共に、その底面から上記既設枠体の内周面に対してネジまたはビス止めされてなることを特徴として構成されている。
【０００７】
さらに、本発明に係る改装サッシは、上記ブラケットは上記既設枠体より室内側まで延設された延出部を有し、該延出部は建物躯体に対して固定されてなることを特徴として構成されている。
【０００８】
さらにまた、本発明に係る改装サッシは、上記外周枠体は上記既設枠体の室外端部と近接対向する保持部を有し、該保持部には水密材が設けられて上記既設枠体の室外端部との間を水密することを特徴として構成されている。
【０００９】
そして、本発明に係る改装サッシは、上記外周枠体は室外端部で上記新設枠体の室外端部と近接対向して水密材により水密されると共に、上記固定部は上記新設枠体のフィン部と水密材を介して当接固定されていることを特徴として構成されている。
【００１０】
また、本発明に係る改装サッシは、上記ブラケットの当接面と上記新設枠体のフィン部の間または上記新設枠体のフィン部と上記外周枠体の固定部の間には断熱部材が介装されてなることを特徴として構成されている。
【発明の効果】
【００１１】
本発明に係る改装サッシによれば、既設枠体の内周面に設けられ室外端部には室外側に向かう当接面を有したピース状のブラケットと、ブラケットの当接面に室外側から当接固定されるフィン部を外周面の四周に渡って有した新設枠体と、新設枠体のフィン部に室外側から当接固定される固定部を有し新設枠体の外周面を覆うように取付けられる外周枠体とを備えてなることにより、ブラケット及び外周枠体はいずれも新設枠体のフィン部に当接固定されるので、組立が容易であり、また既設枠体に対する取付作業もピース状のブラケットを固定すればよいので、容易に行うことができる。
【００１２】
また、本発明に係る改装サッシによれば、ブラケットは断面略単板状に形成されると共に、既設枠体の内周面に対してネジまたはビス止めされてなることにより、ブラケットの見付方向幅を小さくして新設サッシのための開口を大きくすることができる。
【００１３】
さらに、本発明に係る改装サッシによれば、ブラケットは既設枠体より室内側まで延設された延出部を有し、延出部は建物躯体に対して固定されてなることにより、ブラケットを強固に固定することができる。
【００１４】
さらにまた、本発明に係る改装サッシによれば、外周枠体は既設枠体の室外端部と近接対向する保持部を有し、保持部には水密材が設けられて既設枠体の室外端部との間を水密することにより、外周枠体と既設枠体の間を確実に水密することができる。
【００１５】
そして、本発明に係る改装サッシによれば、外周枠体は室外端部で新設枠体の室外端部と近接対向して水密材により水密されると共に、固定部は新設枠体のフィン部と水密材を介して当接固定されていることにより、外周枠体と新設枠体の間を二重に水密してより確実に水密をなすことができる。
【００１６】
また、本発明に係る改装サッシによれば、ブラケットの当接面と新設枠体のフィン部の間または新設枠体のフィン部と外周枠体の固定部の間には断熱部材が介装されてなることにより、外周枠体や新設枠体とブラケットの間を断熱することができ、断熱性の高いサッシとすることができる。
【発明を実施するための最良の形態】
【００１７】
本発明の実施形態について、図面に沿って詳細に説明する。図１は本実施形態における改装サッシの縦断面図、図２は本実施形態における改装サッシの横断面図である。これら各図に示すように、本実施形態における改装サッシは、建物開口部に設けられている既設枠体１に対して取付けられるもので、新設枠体２を既設枠体１の内周室外側に配置し、ピース状のブラケット６によって新設枠体２を既設枠体１に固定すると共に、新設枠体２の外周側には外周枠体７を設けてなるものである。
【００１８】
既設枠体１は、既設上枠１０と既設下枠１１及び左右の既設縦枠１２、１２を方形状に枠組みしてなるものであり、建物開口部に対して固定されているものである。既設上枠１０と既設下枠１１には、既設サッシの内外障子を案内するためのレールが内外にそれぞれ形成されている。また、既設枠体１の室内側には、木材からなる既設額縁８が四周に渡って設けられている。
【００１９】
既設枠体１の内周面にはピース状のブラケット６が所定間隔毎に設けられ固定される。ブラケット６は、細長い単板状の部材として形成されており、室内側端部は既設額縁８に当接する位置まで延出された延出部６ｃとされ、既設額縁８及び建物躯体に対してネジ止めされている。また、室外側端部は既設枠体１の室外端部よりも室外側まで延設されると共に、室外側に向かう当接面６ａが形成されている。
【００２０】
図３には上枠及び縦枠用のブラケット６の正面図を、図４には下枠用のブラケット６の正面図を、それぞれ示している。上枠及び縦枠用のブラケット６は若干の凹凸を有して形成された単板部６ｂの左右両端から当接面６ａ、６ａが延びるように形成されている。また、下枠用のブラケット６は、既設下枠１１の上面が段差を有するように形成されているために、これに適合するように単板部６ｂを２段有している。そして、単板部６ｂの室外端部の左右両端から当接面６ａ、６ａが延びるように形成されている点は上枠及び縦枠用のブラケット６と同様である。
【００２１】
ブラケット６の当接面６ａには、新設枠体２が固定される。新設枠体２は、外周面の四周に渡って突出状のフィン部２３を有している。フィン部２３は、新設枠体２の外周面における室内外中間位置に設けられている。そして、フィン部２３はブラケット６の当接面６ａに室外側から当接し、ネジにより固定されている。新設枠体２のフィン部２３は、枠体を建物躯体に固定するために設けられているものと同じであるため、新設枠体２としては、通常のサッシに用いられる枠体を用いることができる。
【００２２】
新設枠体２内には、外障子３と内障子４が引き違い状に納められる。外障子３と内障子４は、それぞれ上框３１と下框３２及び左右の縦框３３、３３を方形状に框組みしてなる框体３０内部にガラス体３４を納めてなるものであり、新設枠体２内を走行自在となるように納められている。外障子３の室外側には、さらに網戸５が走行自在に納められている。
【００２３】
また、新設枠体２の室内側には、木材からなる新設額縁９が設けられており、この新設額縁９は既設枠体１及び既設額縁８を内周面側から覆って、室内側に既設枠体１や既設額縁８及びブラケット６が露出しないようにしている。
【００２４】
次に、外周枠体７について説明する。外周枠体７は、図１及び図２に示すように、断面中空状に形成され、新設枠体２の外周面を覆うように設けられている。また、外周枠体７は、外周上枠４０と外周下枠４１及び左右の外周縦枠４２、４２から構成されている。さらに、外周枠体７の室内側面は、平面状の固定部４３として構成されており、この固定部４３が新設枠体２のフィン部２３に室外側から当接し、フィン部２３に室内側から当接するブラケット６の当接面６ａと共にネジ止め固定されている。
【００２５】
また、外周枠体７の固定部４３よりも外周側は、固定部４３よりも室内側に向かって張り出しており、ここには既設枠体１の室外端部と近接対向する保持部４４が形成されている。保持部４４には室内水密材５０が保持されており、この室内水密材５０が既設枠体１の室外端部に当接することにより、外周枠体７と既設枠体１の間の水密性が確保されている。
【００２６】
外周枠体７の保持部４４より外周側は、建物外壁と対向しており、この隙間にシール材５３が設けられて外周枠体７をシールしている。したがって、外周枠体７の水密性は、保持部４４に設けられる室内水密材５０及びシール材５３によって二重に確保されている。
【００２７】
外周枠体７の固定部４３には、段差が形成されており、この段差により新設枠体２のフィン部２３との間に生じる隙間に固定部水密材５１が設けられる。さらには、外周上枠４０と外周縦枠４２の室外端部は、新設枠体２の室外端部と対向してその隙間に室外水密材５２が設けられている。これらの固定部水密材５１及び室外水密材５２によって、外周枠体７と新設枠体２の間の水密性が二重に確保されている。
【００２８】
図５には、改装サッシの縦断面分解図を示している。この図に示すように、新設枠体２のフィン部２３に対しては、室外側から外周枠体７の固定部４３が、室内側からブラケット６の当接面６ａが、それぞれ当接してネジ止めされる。なお、外周枠体７は予め外周上枠４０と外周下枠４１及び左右の外周縦枠４２、４２を枠組みした状態で新設枠体２に対して取付けられる。また、ブラケット６は、新設枠体２の上枠２０と下枠２１及び左右の縦枠２２、２２についてそれぞれ長手方向に数カ所ずつ設けられる。
【００２９】
図６には、改装サッシの既設サッシに対する取付図を示している。この図に示すように、新設枠体２にブラケット６及び外周枠体７を固定したものを既設枠体１及び既設額縁８に対してネジ止め固定する。既設枠体１及び既設額縁８に対し固定されるのは、上述のようにブラケット６である。また、既設枠体１には既設上枠１０及び既設縦枠１２にそれぞれ断面略コ字状のアタッチメント１３が設けられており、このアタッチメント１３に対してブラケット６が固定される。既設下枠１１には高さ調節材１４が設けられ、この高さ調節材１４に対して下枠用のブラケット６が当接し、ネジ止めされる。
【００３０】
このように、新設枠体２をピース状のブラケット６により既設枠体１に固定するようにしたので、取付作業を容易にすることができる。また、新設枠体２のフィン部２３の室内側からブラケット６の当接面６ａを当接させ、室外側から外周枠体７の固定部４３を当接させ、これらをネジ止め固定するので、組立も容易である。さらには、外周枠体７により水密性を確保しているので、新設枠体２には通常のサッシを用いることができて、コストダウンを図ることができる。
【００３１】
次に、本発明の第２の実施形態について説明する。図７は、第２の実施形態における改装サッシの上部縦断面図である。本実施形態における改装サッシは、新設枠体２のフィン部２３に対し室内側からブラケット６を固定し、室外側から外周枠体７を固定し、ブラケット６を既設枠体１及び既設額縁８に対して固定する基本構成は第１の実施形態と同様である。
【００３２】
図７に示すように、本実施形態においては、ブラケット６の当接面６ａと新設枠体２のフィン部２３の間に板状の断熱材５４を介装している。断熱材５４は、熱伝導率の低い硬質樹脂からなると共に、断面略Ｌ字状に形成されており、その一辺がブラケット６の当接面６ａ及び新設枠体２のフィン部２３に当接して一体的にネジ止めされている。
【００３３】
このように、ブラケット６の当接面６ａと新設枠体２のフィン部２３の間に板状の断熱材５４を介装することにより、外周枠体７及び新設枠体２とブラケット６との間の断熱性を確保することができる。なお、新設枠体２のフィン部２３と外周枠体７の固定部４３の間に断熱材５４を介装するようにしてもよい。
【００３４】
以上、本発明の実施形態について説明したが、本発明の適用は本実施形態には限られ
ず、その技術的思想の範囲内において様々に適用されうるものである。例えば、第１及び第２の実施形態における既設枠体は、建物躯体に対する固定部が外周面の中間位置に配置されたいわゆる半外付けサッシであったが、外付けサッシの既設枠体に対してもブラケットにより新設枠体を固定することができる。その際には、外周枠体と建物躯体の間に隙間が生じるので、この隙間にカバーを設けることで水密性を確保することができる。
【図面の簡単な説明】
【００３５】
【図１】本実施形態における改装サッシの縦断面図である。
【図２】本実施形態における改装サッシの横断面図である。
【図３】上枠及び縦枠用ブラケットの正面図である。
【図４】下枠用ブラケットの正面図である。
【図５】改装サッシの縦断面分解図である。
【図６】改装サッシの既設サッシに対する取付図である。
【図７】第２の実施形態における改装サッシの上部縦断面図である。
【符号の説明】
【００３６】
１    既設枠体
２    新設枠体
６    ブラケット
６ａ  当接面
６ｂ  単板部
６ｃ  延出部
７    外周枠体
２３    フィン部
４３    固定部
４４    保持部
５０    室内水密材
５１    固定部水密材
５２    室外水密材
５３    シール材
【図１】
2006283418.tif 000003
【図２】
2006283418.tif 000004
【図３】
2006283418.tif 000005
【図４】
2006283418.tif 000006
【図５】
2006283418.tif 000007
【図６】
2006283418.tif 000008
【図７】
2006283418.tif 000009